(57)【特許請求の範囲】
【請求項１】
フック金具の根元側端部に挿通される一対の支持板を有し、この支持板に設けた凹部にて支持線の挟持をなす分線金物であって、
弾性体によって形成された取付補助具に貫通穴を形成し、この貫通穴に前記根元側端部を挿通して、前記取付補助具を前記支持板の間に介在させ、
前記取付補助具には、前記支持線の径より幅狭に設定された支持線導入口と、前記貫通穴よりも前記支持線導入口側に設けられ、且つ前記支持線導入口より大径に設定されるとともに前記凹部に倣う形状を有し、前記凹部との嵌合をなす支持線包着部とを設けた、
ことを特徴とする分線金物。
【発明の詳細な説明】
【０００１】
【発明の属する技術分野】
本発明は分線金物に係り、特に地上側から支持線への確実な取り付けができる分線金物に関する。
【０００２】
【従来の技術】
電柱に架設されている通信ケーブル等を建屋などに引き込む場合、支持線から引込支持線を分岐させるために分線金物が用いられる。図５は従来の分線金物の形態を示す説明図であり、同図（１）は上側面図、同図（２）は正面図を示す。これらの図に示すように分線金物１は、図示しない屋外線引留具を係止可能とするフック金具２と、当該フック金具２の根元側端部に挿通され支持線への挟持をなす一対の支持板３（３Ｌ、３Ｒ）とから構成されている。
【０００３】
フック金具２の根元側端部には、ナット４との螺合を可能とするオネジ部と、支持板３がフック金具２の先端側に移動するのを防止するための支持板ストッパ５とが設けられている。そしてナット４の締め付けにより、支持板３の対面部分に設けた凹部６にて支持線の挟持を可能にしている。
【０００４】
こうした分線金物１を支持線に固定する場合、まず一対の支持板３の間に取付補助具となる発泡材切片７を挟み込むとともに、ナット４を若干締め付け、支持板３の間に支持線が容易に入る間隔を作り出す。そして分線金物１を分線金物取付具（図示せず）に装着し、地上からの目視操作にて支持線を凹部６に収め、その後、分線金物取付具に装備されているラチェットレンチにてナット４を締め上げ、分線金物１を支持線に固定している。
【０００５】
【発明が解決しようとする課題】
しかし支持線は高所に存在することから、従来の取付方法では、支持線に対する分線金物の装着状態を目視で確認することが難しかった。このためナット４の締付などにより凹部６に回転モーメント等が加わると、支持線が凹部６に正しく収まらず把持が不十分となり、分線金物１が落下する恐れがあった。
【０００６】
またナット４に接する側の支持板３Ｒは、支持線の挿入時には案内溝８がフック金具２の先端側に入り込んでおらず、発泡材切片７の圧縮力のみで保持されている。このため支持線が接触したり、ナット４を締め付けると摩擦により支持板３Ｒがフック金具２を中心に回転し、支持線に分線金物１を確実に固定できなくなるという問題点があった。
【０００７】
本発明は上記従来の問題点に着目し、支持線に対する分線金物の装着状態を操作時の感触や装着音で確認でき、また支持板に外力が加わっても当該支持板間の相対位置が変化せず、確実に分線金物を支持線に装着することができる分線金物を提供することを目的とする。
【０００８】
【課題を解決するための手段】
本発明は分線金物の取付補助具に、支持線からの押し付け力で拡開が可能な支持線導入口を設ければ、この支持線導入口を通過する際の押し付け反力（抵抗力）の変化と、支持線導入口の通過により発生する音とで支持線に対する分線金物の装着状態を確認することができるという知見にもとづいてなされたものである。
【０００９】
すなわち本発明に係る分線金物は、フック金具の根元側端部に挿通される一対の支持板を有し、この支持板に設けた凹部にて支持線の挟持をなす分線金物であって、弾性体によって形成された取付補助具に貫通穴を形成し、この貫通穴に前記根元側端部を挿通して、前記取付補助具を前記支持板の間に介在させ、前記取付補助具には、前記支持線の径より幅狭に設定された支持線導入口と、前記貫通穴よりも前記支持線導入口側に設けられ、且つ前記支持線導入口より大径に設定されるとともに前記凹部に倣う形状を有し、前記凹部との嵌合をなす支持線包着部とを設けた、構成である。
【００１２】
【作用】
上記構成によれば、支持線を支持線導入口に押し当てると弾性作用により支持線導入口が拡開し、支持線は支持線包着部へと移動する。この支持線導入口を支持線が通過する際、支持線に加わる押し付け反力（抵抗力）が増減するので、支持線に対する分線金物の装着状態を感触で確認することができる。また支持線導入口を支持線が通過した後は、支持線導入口を拡開させている押し付け力が解放されるので、支持線包着部が支持線に接触する。この接触により装着音（衝突音）が発生するので、聴覚によっても支持線に対する分線金物の取付状況を確認することができる。また分線金物は分線金物取付具に取り付けられるので、高所に存在する支持線のところまで操作棒によって移動されて、この支持線に取り付けられることができる。
【００１３】
また凹部と支持線包着部との嵌合により取付補助具本体を介して支持板同士が接続されていることから、片側の支持板に回転力が加わっても取付補助具本体がこれを受け、前記回転力を他方の支持板側へと伝達する。このため支持板間の相対位置が変動するのを防止することができる。
【００１４】
【発明の実施の形態】
以下に本発明に係る分線金物の具体的実施の形態を図面を参照して詳細に説明する。
【００１５】
図１は分線金物を分線金物取付具に装着した際の要部拡大図であり、図３は分線金物を分線金物取付具の装着する手順を示す状態説明図である。これらの図に示すように取付補助具本体となるＶ字状板ばね１０が装着される分線金物１２は、屋外線引留具１４を係止可能とするフック金具１６と、当該フック金具１６の根元側端部１６Ａに挿通され支持線への挟持をなす一対の支持板１８とから構成されている。
【００１６】
フック金具１６は、金属丸棒を略Ｕ字状に屈曲させた形態となっており、ガイドシャフトとなる根元側端部１６Ａにはナット２０との螺合を可能にするオネジ部が設けられている。また根元側端部１６Ａにおけるオネジ部より内側には、支持板１８が先端部１６側に移動するのを防止するためのつば状の支持線ストッパ２２が設けられている。
【００１７】
根元側端部１６Ａに挿通される一対の支持板１８（１８Ｌ、１８Ｒ）には、その対面部分に半円状の凹部２４が設けられており、当該凹部２４同士を突き合わせることで支持線２６の挟み込みを可能にしている。なお当該支持線２６の下方には、通信ケーブル２７が懸吊されている。また支持板１６の対面部分における凹部２４と、根元側端部１６Ａが挿通する貫通穴２５との間には減肉による空隙が存在し、Ｖ字状板ばね１０の取付スペースを形成するようにしている。さらに支持板１８の上部、すなわち根元側端部１６Ａを挟んだ凹部２４の反対側には案内溝２８が形成され、当該案内溝２８にフック金具の先端部１６Ｂを取り込むことで、根元側端部１６Ａを中心とした支持板１８の回転を防止することができる。
【００１８】
このような分線金物１２に用いられるＶ字状板ばね１０の形態を以下に説明する。図２は本実施の形態に係る分線金物の取付補助具の構造説明図を示す。同図に示すようにＶ字状板ばね１０は、平板からなるばね材を左右対称となるようＶ字状に折り曲げ形成した形態となっている。そして折り曲げ根元３０からＶ字状に延長された脚部３２には、折り曲げ根元３０側から先端側に向かって順に、貫通穴３４、支持線包着部３６、支持線導入口３８が形成されている。ここで貫通穴３４はその径がフック金具１６の外径より若干大きく設定され、根元側端部１６Ａに沿ってＶ字状板ばね１０を移動させることが可能となっている。また脚部３２における貫通穴３４の先端側、すなわち脚部３２の中央部分には、支持線包着部３６が設けられている。当該支持線包着部３６は、支持板１８における凹部２４の形状に倣うように屈曲形成されたものであり、このため左右の脚部３２の間隔を狭めた際、支持線２６への密着を可能にしている。そして支持線包着部３６からは支持線２６の導入をなすための支持線導入口３８が連続形成されている。これは支持線包着部３６を形成する円弧と逆方向に屈曲形成された円弧部３８Ａにて構成されており、左右の脚部３２における円弧部３８Ａの突合せ間隔（図中寸法Ａ）を支持線２６の外径より幅狭に設定することで、支持線２６の通過の際に抵抗力が発生するようにしている。
【００１９】
このようなＶ字状板ばね１０を用いて分線金物１２を支持線２６に固定する手順を説明する。
分線金物１２を支持線２６に固定する場合には、まず一対の支持板１８の間にＶ字状板ばね１０を挿入する。この取り付けは、ナット２０と支持板１８Ｒとを根元側端部１６Ａより取り外し、根元側端部１６Ａを貫通穴３４に挿通させればよい。そしてＶ字状板ばね１０を両側の支持板１８にて挟み込むとともに、支持線包着部３６を左右の凹部２４に倣うよう密着させ、支持板１８に対するＶ字状板ばね１０の相対位置を決定する。
【００２０】
このように分線金物１２にＶ字状板ばね１０を装着した後は、地表面側にて分線金物１２を分線金物取付具４０に取り付ける。当該分線金物取付具４０には、分線金物１２のナット２０に対応するレンチ４２が設けられており、このレンチ４２にナット２０を装着するとともに、反対側端部より分線金物１２を押圧することで分線金物１２を分線金物取付具４０に取付可能としている。なお分線金物取付具４０から引き出された解放用チェーン４４を引っ張れば、分線金物１２の押圧力を解放することができ、分線金物１２と分線金物取付具４０とを分離できるようになっている。また分線金物取付具４０には、レンチ４２を所定の方向のみに回転させるハンドル４６と、これに連結される延長チェーン４８とが設けられ、ナット２０の螺合を可能にしている。そしてこのような分線金物取付具４０には、支持線２６の高さまで伸張可能な操作棒５０が取付可能になっており、当該操作棒５０を動かすことで、分線金物取付具４０に取り付けられた分線金物１２を支持線２６付近まで移動可能にしている。
【００２１】
操作棒５０を動かし、分線金物取付具４０を支持線２６の上部まで移動させた後は、操作棒５０を地上側に引き、支持線２６を支持線導入口３８に押し当てる。支持線導入口３８に支持線２６を押し当てると、その押し付け力の大きさに応じて脚部３２が拡開し（変形し）、左右の円弧部３８Ａの間隔（図中寸法Ａ）が広がっていく。そしてこの間隔が支持線２６の外径に達すると、当該支持線２６は支持線導入口３８を通り抜けて、支持線包着部３６側へと移動する。ここで支持線２６が支持線導入口３８を通り抜ける際には、脚部３２の復原による押し付け反力が加わる。すなわち支持線２６が円弧部３８Ａに当接してから、当該円弧部３８Ａの頂上部（最幅狭部）にいたるまでは、脚部３２が拡開していくため、支持線２６に加わる押し付け反力が増大する。そして支持線２６が円弧部３８Ａの頂上部（最狭幅部）を越えると、分線金物１２を引き下げる力と、脚部３２の復原力とが支持線２６に加わり、当該支持線２６は一気に支持線包着部３６側へと移動する。このように支持線２６が支持線導入口３８を通過する際には、当該支持線２６に加わる押し付け反力が増減することから、操作棒５０を操る作業者は操作棒５０から伝わる感触で、支持線２６に対する分線金物１２の取付状況を確認することができる。
【００２２】
なお支持線２６は前述の通り、円弧部３８Ａの頂上部（最狭幅部）を越えると、分線金物１２を引き下げる力と、脚部３２の復原力とが支持線２６に加わり、当該支持線２６は一気に支持線包着部へと移動する。このため支持線２６の表面に支持線包着部３６が接触し、この接触により装着音（衝突音）が発生する。この装着音からも作業者は、支持線２６に対する分線金物１２の取付状況を確認することができる。
【００２３】
また分線金物取付具４０に装着された分線金物１２の状態では、支持板１８Ｒの案内溝２８に先端部１６Ｂが取り込まれていない。しかし左右の凹部２４に倣う支持線包着部３６を有した脚部３２が、折り曲げ根元３０を介して左右の支持板１８を連結していることから、たとえ支持板１８Ｒに回転力が加わっても、ばね復原力が作用し支持板１８Ｒが回転することはない。このため作業中に発生する支持線２６の支持板１８Ｒへの接触や、ナット２０の締付量などにより、支持板１８Ｒが根元側端部１６Ａまわりに回転するのを防止することができる。
【００２４】
このように支持線２６を支持線包着部３６へと案内した後は、延長チェーン４８を引っ張り、ハンドル４６を回転させレンチ４２にてナット２０を締め付ける。そしてナット２０の締め付け後は、解放用チェーン４４を引っ張り、分線金物１２に加わる分線金物取付具４０からの押圧力を解放させ、分線金物１２から分線金物取付具４０を取り外す。図４は支持線に分線金物を取り付けた後の状態図を示す。ところでこの状態ではナット２０の締め付けにより、左右の脚部３２の間隔が狭まっている。このため脚部３２の復元力が支持板１８の減肉部分に作用し、ナット２０の緩みを防止することができる。
【００２５】
【発明の効果】
以上説明したように、本発明は、フック金具の根元側端部に挿通される一対の支持板を有し、この支持板に設けた凹部にて支持線の挟持をなす分線金物であって、弾性体によって形成された取付補助具に貫通穴を形成し、この貫通穴に前記根元側端部を挿通して、前記取付補助具を前記支持板の間に介在させ、前記取付補助具には、前記支持線の径より幅狭に設定された支持線導入口と、前記貫通穴よりも前記支持線導入口側に設けられ、且つ前記支持線導入口より大径に設定されるとともに前記凹部に倣う形状を有し、前記凹部との嵌合をなす支持線包着部とを設けた構成なので、片側の支持板に外力が加わっても当該支持板間の相対位置が変化せず、確実に分線金物を支持線に装着することができ、また支持線に対する分線金物の装着状態を操作時の感触や装着音で確認することができる。
【図面の簡単な説明】
【図１】分線金物を分線金物取付具に装着した際の要部拡大図である。
【図２】本実施の形態に係る分線金物の取付補助具の構造説明図を示す。
【図３】分線金物を分線金物取付具の装着する手順を示す状態説明図である。
【図４】支持線に分線金物を取り付けた後の状態図を示す。
【図５】従来の分線金物の形態を示す説明図である。
【符号の説明】
１                    分線金物
２                    フック金具
３（３Ｌ，３Ｒ）      支持板
４                    ナット
５                    支持板ストッパ
６                    凹部
７                    発泡材切片
８                    案内溝
１０                    Ｖ字状板ばね
１２                    分線金物
１４                    屋外線引留具
１６                    フック金具
１６Ａ                  根元側端部
１６Ｂ                  先端部
１８（１８Ｌ、１８Ｒ）  支持板
２０                    ナット
２２                    支持線ストッパ
２４                    凹部
２５                    貫通穴
２６                    支持線
２７                    通信ケーブル
２８                    案内溝
３０                    折り曲げ根元
３２                    脚部
３４                    貫通穴
３６                    支持線包着部
３８                    支持線導入口
３８Ａ                  円弧部
４０                    分線金物取付具
４２                    レンチ
４４                    解放用チェーン
４６                    ハンドル
４８                    延長チェーン
５０                    操作棒
【図１】
0003799460.tif 000002
【図２】
0003799460.tif 000003
【図３】
0003799460.tif 000004
【図４】
0003799460.tif 000005
【図５】
0003799460.tif 000006